(57)【要約】      （修正有）【課題】バーストモード伝送を利用することで、ＷＤＭ−ＰＯＮの中で光ネットワークユニット（ONU）内の調整されたレーザを排除すること。【解決手段】パッシブ光ネットワークで通信する装置は、第１データ信号で変調された第１部分と変調されていない第２部分とを有する光信号を生成し且つその光信号をパッシブ光ネットワークで送信する送信部と、第２データ信号で変調された、送信された光信号の第２部分を有する光信号を受信する受信部とを有する。【選択図】図１ａ
2006191605.tif 000002
【特許請求の範囲】
【請求項１】
パッシブ光ネットワークで通信する方法であって、
第１データ信号で変調された第１部分と変調されていない第２部分とを有する光信号を第１ネットワーク要素で生成し、
前記光信号を前記パッシブ光ネットワークで前記第１ネットワーク要素から第２ネットワーク要素へ伝送し、
受信した光信号の第２部分を前記第２ネットワーク要素で第２データ信号で変調し、
受信した変調済み光信号の変調された第２部分を前記第２ネットワーク要素から前記第１ネットワーク要素へ伝送する
ことを特徴とする方法。
【請求項２】
パッシブ光ネットワークで通信する装置であって、
第１データ信号で変調された第１部分と変調されていない第２部分とを有する光信号を生成し且つ該光信号を前記パッシブ光ネットワークで送信する送信部と、
第２データ信号で変調された、送信された光信号の第２部分を有する光信号を受信する受信部と、
を有することを特徴とする装置。
【請求項３】
前記送信部が、非変調光信号の第１部分を前記第１データ信号で変調し、前記非変調光信号の第２部分を変調しない光変調器を有する
ことを特徴とする請求項２記載の装置。
【請求項４】
前記受信部が、受信した光信号を復調し、前記第２データ信号を復元する光復調器を有する
ことを特徴とする請求項３記載の装置。
【請求項５】
パッシブ光ネットワークで通信する装置であって、
第１データ信号で変調された第１部分と変調されていない第２部分とを有する光信号を前記パッシブ光ネットワークから受信する受信部と、
受信した光信号の前記第２部分を第２データ信号で変調し、第２光信号を形成する変調部と、
前記第２光信号を前記パッシブ光ネットワークで送信する送信部と、
を有することを特徴とする装置。
【請求項６】
前記受信部が、
受信した光信号を受信部及び再変調部の間で分けるパワースプリッタと、
受信した光信号から前記第１データ信号を検出する復調器と、
を有することを特徴とする請求項５記載の装置。
【請求項７】
前記復調器が、受信した光信号の前記第２部分を見分けるフレーム処理装置を更に有する
ことを特徴とする請求項６記載の装置。
【請求項８】
前記変調部が、受信した光信号の第２部分の前記フレーム処理装置による確認に基づいて、受信した光信号の第２部分を第２データ信号で変調する変調器を有する
ことを特徴とする請求項７記載の装置。
【請求項９】
パッシブ光ネットワークで通信する装置であって、
第１データ信号で変調された第１部分と変調されていない第２部分とを有する受信した光信号を、受信部及び変調部の間で分けるビームスプリッタと、
受信した光信号の前記第２部分を第２データ信号で変調し、第２光信号を形成する変調部と、
受信した光信号から前記第１データ信号を検出するフォトディテクタと、
を有することを特徴とする装置。
【請求項１０】
前記復調部が、前記光信号の前記第２部分を前記ビームスプリッタから受信し、前記光信号の前記第２部分を前記第２データ信号で変調して前記第２光信号を形成し、前記第２光信号を前記ビームスプリッタに返すシリコン光増幅反射機能を有する
ことを特徴とする請求項９記載の装置。
【発明の詳細な説明】
【技術分野】
【０００１】
本発明は波長分割多重化(WDM)パッシブ光ネットワーク（PON:  Passive  Optical  Network）の光ネットワーク装置（ONU）でレーザを削除する装置に関する。
【背景技術】
【０００２】
光ネットワークはテレコミュニケーション業界で情報を伝送する標準技術になりつつある。多数の異なる光ネットワーク規格が規定され、その各々は様々な用途についての長所及び短所を有する。同期光ネットワーク（ソネット：SONET）は光通信の１つの規格である。ソネットはしばしば長距離の、大都市レベルの及びアクセス伝送のアプリケーションに使用される。
【０００３】
光通信の他の規格はパッシブ光ネットワーク(PON)である。PONはサービスプロバイダの中枢オフィス、管理センター(head  end)又は存在地点(POP)と、業務上の又は居住用の顧客の位置との間で通信インフラストラクチャの通信手段（ラストマイル）のための処置に一般に使用される。ラストマイルは、アクセスネットワーク又はローカルループとしても知られ、住宅区域では銅製の電話線や同軸ケーブルテレビジョン（CATV）ケーブルから主に構成される。大都市地域では、密集した業務顧客（ビジネスカスタマ）が存在し、しばしばアクセスネットワークは大容量同期光ネットワーク(ソネット)リング、光T3回線及び銅ベースのT1を含む。
【０００４】
波長分割多重化（WDM）及び他の新技術を利用することで長距離ネットワークでの帯域が劇的に増えつつある。最近、WDM技術は大都市地域ネットワーク（MAN）にさえ浸透し始め，それらの容量を劇的に増大させている。同時に、企業ローカルエリアネットワーク（LAN）は１０Mbpsから１００Mbpsに移行し、多くのLANは間もなくギガビットのイーサーネット（登録商標）速度にアップグレードされるであろう。その結果、一方端での大都市ネットワーク容量と他方でのエンドユーザ要請との間の隔たりが大きくなり、それらの間のラストマイルの障害となっている。
【０００５】
PONはこの問題に対する１つのソリューションであり、ラストマイル帯域の障害を打破する試みであり、その問題に他のアクセスネットワーク技術は適切且つ経済的に対処していない。
【発明の開示】
【発明が解決しようとする課題】
【０００６】
PONアーキテクチャの重要な部分は光ネットワークユニット（ONU）及び光回線終端装置（OLT）であり、それらはPONのエンドポイントに位置するアクティブネットワーク要素である。OLTはPONで伝送されるデータ用のインターフェースを与える。ONUは顧客のデータ、ビデオ、電話網及びPONの間のインターフェースを与える。ONUの主な機能は、ある光フォーマットのトラフィックを受信すること及びそれを顧客の所望のフォーマットに変換することである。多くのPONは光ファイバ各々において複数の信号に関する波長分割多重化（WDM）を利用する。WDM  PONはONU各々について各々の方向で専用の光波長を与える。これは他の形式のPONを上回る改善された動作をもたらし、同じ波長が３２個の（又はそれ以上の）ONUまで共用される。しかしながらWDM  PONの一般的な実現法は調整された狭帯域のレーザを各ONU内で、及び固定された狭帯域のレーザを各ONUに専用にOLT内で必要とする。このことはアクセスアプリケーションの実現にはコスト高過ぎる結果を招く。今日の多くのPONはそのコストに起因してWDM  PONに基づいておらず、それらはONUが双方向で波長を共用するAPON、EPON等に基づいている。従って調整されたレーザをONU内から削除すること及びOLTに共用光キャリアソースを与えることの双方を実行可能な技術が必要とされている。
【課題を解決するための手段】
【０００７】
［WDM-PON用の共用マルチラムダソース］
本発明はONU内の調整されたレーザを排除し、共用光キャリアソースをOLTに用意する。
【０００８】
本発明の一形態による装置は、複数の光キャリア生成器と、複数の光キャリアを合成し、波長分割多重された光キャリアを形成する光マルチプレクサと、複数の出力を有する光パワースプリッタとを有し、前記複数の光キャリア生成器の各々は異なる波長で光キャリアを出力し、前記複数の出力の各々は光回線終端装置に接続可能であり、前記光パワースプリッタは波長分割多重化された光キャリアを分割し、複数の波長分割多重化された光キャリアを形成する装置である。
【０００９】
本発明の一形態では光キャリア生成器の各々が狭帯域レーザを有する。本装置は複数の波長分割多重化済みの光キャリアの内の少なくとも１つを増幅するよう動作する光増幅器を有する。本装置はワーキング及びプロテクト光WDMキャリア間でのスイッチング機能をもたらすプロテクションスイッチを更に有する。光回線終端装置の少なくとも一部は物理的に別々の筐体にある。
【００１０】
［光変調及び復調によるONUレーザの回避］
本発明はONU内の調整されたレーザを排除し、共用光キャリアソースをOLTに用意する。
【００１１】
本発明の一形態では、パッシブ光ネットワークで通信する方法は、第１データ信号により変調された光信号を第１ネットワーク要素で生成し、変調された光信号をパッシブ光ネットワークで第１ネットワーク要素から第２ネットワーク要素へ伝送し、第２ネットワーク要素で受信した変調済み光信号を第２データ信号で再変調し、再復調された光信号を第２ネットワーク要素から第１ネットワーク要素へ伝送する方法である。
【００１２】
本発明の一形態では、パッシブ光ネットワークで通信する装置は、第１データ信号で変調された光信号を生成し、変調された光信号をパッシブ光ネットワークで送信するよう動作する送信部と、第２データ信号で再変調され送信された光信号を有する光信号を受信するよう動作する受信部とを有する。
【００１３】
本発明の一形態では、送信部は変調されていない光信号を第１データ信号で変調するよう動作する光変調器を有する。第１データ信号は、第１データのシンボルレートより大きいシンボルレートを有するラインコード信号を有する。受信部は受信した光信号を復調し、第２データ信号を復元するよう動作する光復調器を有する。
【００１４】
本発明の一形態では、パッシブ光ネットワークで通信する装置は、第１データ信号で変調された光信号をパッシブ光ネットワークで受信するよう動作する受信部と、受信した光信号を第２データ信号に再変調するよう動作する再変調部と、再変調された光信号をパッシブ光ネットワークで送信するよう動作する送信部とを有する。
【００１５】
本発明の一形態では、受信部は、該受信部及び再変調部の間で受信光信号を分割するよう動作するパワースプリッタと、受信された光信号から第１データ信号を検出するよう動作するラインコード復調器とを有する。第１データ信号で変調された光信号はトレーニングインターバルを有し、ラインコード復調器はトレーニングインターバルを見分けるよう動作するフレーム装置を更に有する。受信部はトレーニングインターバル信号にロックされた信号位相を出力するよう動作する回路を更に有し、その信号位相はフレーム装置により見分けられるダウンストリームフレーム及びクロックにロックされる。
【００１６】
本発明の一形態では、再変調部はラインコード変調器を有し、ラインコード変調器は、トレーニングインターバル信号にロックされた信号位相に基づいて、受信した光信号を第２データ信号で再変調するよう動作する。再変調部は受信した光信号を第２データ信号で再変調するよう動作するラインコード変調器を有する。
【００１７】
本発明の一形態では、送信部は再変調された光信号を増幅するよう動作する光増幅器を有する。
【００１８】
本発明の一形態では、パッシブ光ネットワークで通信する装置は、受信した光信号を受信部及び再変調部の間で分割するよう動作するビームスプリッタと、受信した光信号を第２データ信号で再変調するよう動作する再変調部と、受信した光信号から第１データ信号を検出するよう動作するフォトディテクタとを有する。
【００１９】
本発明の一形態では、再変調部はシリコン光増幅反射を行い、その増幅器は変調された光信号をビームスプリッタから受信し、受信した光信号を第２データ信号で再変調し、再変調された光信号をビームスプリッタに返す。
【００２０】
［バーストモードによるWDM  PONのONUレーザの削除］
本発明はONU内の調整されたレーザを排除し、共用光キャリアソースをOLTに用意する。
【００２１】
本発明の一形態では、パッシブ光ネットワークで通信する方法は、第１データ信号で変調された第１部分及び変調されていない第２部分を有する光信号を第１ネットワーク要素で生成し、その光信号をパッシブ光ネットワークで第１ネットワーク要素から第２ネットワーク要素へ伝送し、第２ネットワーク要素で受信した光信号の第２部分を第２データ信号で変調し、受信され変調された光信号の変調された第２部分を第２ネットワーク要素から第１ネットワーク要素へ送信する方法である。
【００２２】
本発明の一形態では、パッシブ光ネットワークで通信する装置は、第１データ信号で変調された第１部分及び変調されていない第２部分を有する光信号を生成し、その光信号をパッシブ光ネットワークで送信するよう動作する送信部と、第２データ信号で変調され送信された光信号の第２部分を有する光信号を受信するよう動作する受信部とを有する。
【００２３】
本発明の一形態では、送信部は変調されていない光信号の第１部分を第１データ信号で変調し、変調されていない光信号の第２部分を変調しないでおくよう動作する光変調器を有する。
【００２４】
本発明の一形態では、受信部は受信した光信号を復調し、第２データ信号に復元するよう動作する光復調器を有する。
【００２５】
本発明の一形態では、パッシブ光ネットワークで通信する装置は、第１信号で変調される第１部分及び変調されていない第２部分を有する光信号をパッシブ光ネットワークで受信するよう動作する受信部と、受信した光信号の第２部分を第２データ信号で変調し、第２光信号を生成するよう動作する変調部と、第２光信号をパッシブ光ネットワークで送信するよう動作する送信部とを有する装置である。
【００２６】
本発明の一形態では、受信部は、受信した光信号を該受信部及び再変調部の間で分割するよう動作するパワースプリッタと、受信した光信号から第１データ信号を検出するよう動作する復調器とを有する。復調器は受信した光信号の第２部分を見分けるように動作するフレーム装置を更に有する。
【００２７】
本発明の一形態では、変調部は、フレーム装置からの受信光信号の第２部分の身元に基づいて、受信光信号の第２部分を第２データ信号で変調するよう動作する変調器を有する。送信部は第２光信号を増幅するよう動作する光増幅器を有する。
【００２８】
本発明の一形態では、パッシブ光ネットワークで通信する装置は、受信した光信号を受信部及び変調部の間で分割するよう動作するビームスプリッタと（受信した光信号は第１データ信号で変調された第１部分及び変調されていない第２部分を有する）、受信した光信号の第２部分を第２データ信号で変調し、第２光信号を形成するよう動作する変調部と、受信した光信号から第１データ信号を検出するよう動作するフォトディテクタとを有する装置である。
【００２９】
本発明の一形態では、変調部はシリコン光増幅反射を行い、シリコン光増幅器は、ビームスプリッタから光信号の第２部分を受信し、光信号の第２部分を第２データ信号で変調して第２光信号を形成し、第２光信号をビームスプリッタに反射させるよう動作する。
【発明を実施するための最良の形態】
【００３０】
図１ａには本発明が使用されてもよいPONシステム例１００が示されている。1以上の光回線終端装置（OLT）１０２は光分配ネットワーク（ODN）１０４上で伝送されPONの光ネットワークユニット（ONU）１０６の部分に至るデータとのインターフェースを与える。PONの受動素子（パッシブエレメント）は、OND１０４内に設けられ、シングルモードファイバケーブル、スプリッタ／カプラのようなパッシブ素子、コネクタ、マルチプレクサ及び結合部（splice）を含んでもよい。図１ａに示される例ではODN１０４はラムダマルチプレクサ１０５及び多数の光ファイバを含む。
【００３１】
PONのONU１０６部は１以上のONUを含み、ONUは顧客のデータ、映像、電話網及びPONの間でのインターフェースを与える。ONUの主要な機能は、光形式でトラフィックを受信し、それをエンドユーザの望むフォーマットに変換すること及びエンドユーザからのトラフィックを受信し、それを光形式に変換することである。或いはエンドユーザのフォーマットは典型的にはイーサーネット（登録商標）、IPマルチキャスト、POTS、T1等のような電気形式であるが、エンドユーザのフォーマットはソネット／SDHのような光形式でもよい。
【００３２】
図１ｂには本発明が実施されてもよいPONシステム例１００が更に詳細に示されている。OLT１０２は共用ラムダソース１０８に結合される。共用ラムダソース１０８は光キャリア生成器１０８−１乃至１０８−３２のようなシングル波長光キャリア生成器を複数個含む。各光キャリア生成器は異なる波長で光キャリアを出力する。図１ｂに示される例では３２個の光キャリア生成器が例として示されている。しかしながら本発明は使用する光キャリア生成器をいくつでも想定している。光キャリア生成器は典型的には狭帯域レーザである。共用ラムダソース１０８はラムダマルチプレクサ１１０を含み、ラムダマルチプレクサは光キャリア生成器１０８−１乃至１０８−３２からの複数の光キャリアを一つの光ファイバに多重化し、その光ファイバで波長分割多重化（WDM）キャリアを形成する。共用ラムダソース１０８は光パワースプリッタ１１２も含み、光パワースプリッタはWDMキャリアを複数のWDMキャリアに分割し、各キャリアは特定のPONで使用されても良い。選択的に、特定の用途用に更に高いWDMキャリア振幅が必要とされるならば、光増幅器は複数のWDMキャリアを増幅するために使用されてもよい。一般に光増幅器はパワースプリッタで被る損失を補償するために使用される。更に、共用ソース１０８がWDMキャリアを異なる物理筐体中の複数のOLTに与えるように使用されるならば、共用ソース１０８はワーキング及びプロテクト光WDMキャリア間でスイッチングを行うようにプロテクションスイッチング機能を有することが好ましい。共用ソース１０８及びOLTが同じ場所にあった場合でさえもプロテクションの必要性は当てはまることに留意すべきである。典型的には共用ラムダソース１０８は1525乃至1565nmの範囲内の波長を有する光キャリアを用意する。しかしながらこれは単なる一例に過ぎない。本発明は光波長の如何なる範囲の動作をも想定している。
【００３３】
OLT１０２は複数の半導体光増幅反射（SOAR:  Semiconductor  Optical  Amplifier  Reflective）デバイス１１４−１乃至１１１４−３２、複数のフォトディテクタ回路１１６−１乃至１１６−３２、ラムダマルチプレクサ１１８，１２０及び光サーキュレータ１２２，１２４を含む。光パワースプリッタ１１２の１つのタップからのWDMキャリアは光サーキュレータ１２２の入力１２２−１に入力される。WDMキャリアは入力１２２−１から入力／出力１２２−２に循環され、WDMキャリアはラムダマルチプレクサ／デマルチプレクサ１１８に出力される。WDMキャリアは、ラムダマルチプレクサ／デマルチプレクサ１１８により分離され、複数の狭帯域波長キャリアに分けられる。狭帯域波長キャリアの各々はSOARデバイス１１４−１乃至１１４−３２に入力され、PONで伝送されるデータで変調される。変調された狭帯域波長信号はSOARデバイス１１４−１乃至１１４−３２の各々から出力され、ラムダマルチプレクサ／デマルチプレクサ１１８に入力される。これらはOLT変調信号と呼ばれてよい。入力OLT変調信号は変調されたWDM信号を形成するためにラムダマルチプレクサ／デマルチプレクサ１１８で多重化される。これはOLT  WDM信号と呼ばれてよい。OLT  WDM信号はラムダマルチプレクサ／デマルチプレクサ１１８から出力され、光サーキュレータ１２２の入力／出力１２２−２に入力される。OLT  WDM信号は光サーキュレータ１２２で循環され、光サーキュレータ１２２の出力１２２−３から出力される。OLT  WDM信号は光サーキュレータ１２４の入力１２４−１に入力され、循環され、光サーキュレータ１２４の入力／出力１２４−２から出力される。OLT  WDM信号はODN１０４を通じてPONのONU１０６の部分に伝送される。
【００３４】
OLT変調信号に内在する変調は本発明の様々な実施例で異なる。ある実施例では、狭帯域波長信号は時間で１００％変調されるものではなく、狭帯域波長信号の変調されていない又は連続波（CW）の部分が1以上のSOARデバイス１１４−１〜１１４−３２から出力されてもよい。簡明化のため、OLT内のSOARデバイスからの信号出力は、たとえそれが非変調の又はCWの部分を含んでいたとしてもOLT変調信号として言及される。
【００３５】
第２の変調されたWDM信号もODN１０４を通じてPONのONU１０６の部分からLOT１０２に伝送される。第２変調WDM信号はONU  WDM信号と呼ばれる。ONU  WDM信号は光サーキュレータ１２４の入力１２４−２に入力され、循環され、光サーキュレータ１２４の出力１２４−３から出力される。第２ONU  WDM信号はラムダマルチプレクサ／デマルチプレクサで分離され、複数の変調された狭帯域波長信号に分けられる。変調された狭帯域波長信号の各々はフォトディテクタ１１６−１〜１１６−３２に入力され、その信号に変調されたデータが検出される。フォトディテクタの各々は電気信号を出力し、電気信号はその入力された変調済みの狭帯域波長信号から抽出されたデータストリームを伝送する。
【００３６】
OND１０４は1以上のPONのパッシブ素子を含む。ODN１０４はシングルモード光ファイバケーブル、スプリッタ／カプラのような受動光素子、コネクタ、マルチプレクサ及び結合素子を含んでもよい。OLT１０２及びPONのONU１０６部分のようなアクティブネットワーク素子はPONの端部に設けられている。PONを伝搬する光信号は、光がPONを上るか下るかに依存して、光スプリッタ／カプラにより複数のファイバに分けられる或いは１つのファイバに合成される。PONは一般的には住居アプリケーションのシングルファイバの、１対多の、ツリー及びブランチコンフィギュレーションに配備される。OLTは、業務用のプロテクトされたリングアーキテクチャに接続されてもよいし、或いはキャンパス環境及び複数テナントユニット（MTU）のバスアーキテクチャに接続されてもよい。
【００３７】
図１ｂに示されるように、ODN１０４はラムダマルチプレクサ／デマルチプレクサ１０５及び複数の光ファイバ１２８を含む。ラムダマルチプレクサ／デマルチプレクサ１０５は、OLT１０２からの変調されたWDM信号を受信し、それを分離し、複数の変調済みの狭帯域波長信号を形成し、狭帯域波長信号の各々は光ファイバ１２８上で伝送される。同様に、ラムダマルチプレクサ／デマルチプレクサ１０５は、変調された狭帯域波長信号を各光ファイバ１２８から受信し、それらを多重化し、OLT１０２に伝送される変調されたWDM信号を形成する。このようにODN１０４は双方向の光通信経路を提供する。
【００３８】
PONのONU１０６部分は1以上のONU１３０−１〜１３０−３２を含む。変調検出ユニット１３０−１のような変調器／検出器ユニットの各々はビームスプリッタ１３２−１、SOARデバイス１３４−１及びフォトディテクタ１３６−１を含む。ビームスプリッタ１３２は光線を２つに分ける光デバイスである。最も一般的な形態では、それは２つの三角形のガラスプリズムより成る立方体形状であり、三角形のガラスプリズムの底辺が樹脂で接着されている。樹脂層の厚さは、１つの「ポート」（即ち、立方体の面）を介する入射光の約半分が反射され、それ以外の半分が透過するように調整される。他の可能なデザインは「半塗銀面鏡(half-silvered  mirror)」を利用することである。これは銀の薄膜を有するガラス板（通常的には銀の蒸着で堆積される）であり、成膜された銀の厚みは４５度の角度で入射した光の半分が透過し、半分が反射されるような厚みである。銀薄膜の代わりに誘電体光コーティングが使用されてもよい。本発明を有用にするために、ビームスプリッタ１３２はOLTで生成される光波長の範囲を超えて動作する必要がある。なぜなら同じONUがOLTで生成された何らかの波長に接続されるかもしれないからである。
【００３９】
OLT１０２で生成され変調された狭帯域波長信号であるOLT変調信号は、ファイバ１２８のような光ファイバから出力され、ビームスプリッタ１３２−１のようなビームスプリッタに入力される。OLT変調信号の一部はSOARデバイス１３４−１に出力され、OLT変調信号の一部はフォトディテクタ１３６−１に出力される。OLT変調信号上に変調されているデータはフォトディテクタ１３６−１により検出される。各フォトディテクタは入力のOLT変調信号から抽出されたデータストリームを伝送する電気信号を出力する。かくてフォトディテクタ１３６−１はOLT１０２からONU１０６へPONの１つのファイバの１つの波長で伝送されたデータを抽出する。
【００４０】
OLT変調信号もSOARデバイス１３４−１に入力される。上述したように変調された狭帯域波長信号はいくらかの未変調の又はCWの部分を含んでよい。OLT変調信号のこれらの未変調の又はCWの部分は、光信号に変調されているデータを搬送する入力電気信号に基づいてSOARデバイス１３４−１内で変調される。SOARデバイス１３４−１により変調されたOLT変調信号の部分はONU変調信号と呼ばれてもよい。ONU変調信号は、SOARデバイス１３４−１から出力され、ビームスプリッタ１３２−１を通じて伝搬し、光ファイバ１２８を通じてラムダマルチプレクサ／デマルチプレクサ１０５に伝送される。変調検出ユニット１３０−１〜１３０−３２からの複数のONU変調信号はラムダマルチプレクサ／デマルチプレクサ１０５により多重化され、ONU  WDM信号と呼ばれるWDM信号を形成する。上述したように、ONU  WDM信号は、光サーキュレータ１２４の入力１２４−２に入力され、循環され、光サーキュレータ１２４の出力１２４−３から出力される。第２ONU  WDM信号はラムダマルチプレクサ／デマルチプレクサ１２０により分離され、複数の変調された狭帯域波長信号に分けられる。変調された狭帯域波長信号の各々はフォトディテクタ１１６−１〜１１６−３２に入力され、その信号に変調されたデータが検出される。フォトディテクタの各々は電気信号を出力し、その電気信号は入力の変調された狭帯域波長信号から抽出されたデータストリームを伝送する。
【００４１】
図２には共有されるラムダソース１０８の例が示されている。共用ラムダソース１０８は光キャリア生成器１０８−１〜１０８−Ｋのようなシングル波長光キャリア生成器を複数個含む。図2に示される例では、Ｋ個の光キャリア生成器が一例として示されている。しかしながら本発明は如何なる数の光キャリア生成器を利用することも想定している。光キャリア生成器は一般的には狭帯域のレーザである。共用ラムダソース１０８はラムダマルチプレクサ１１０も含み、ラムダマルチプレクサは、光キャリア生成部１０８−１〜１０８−Ｋからの複数の光キャリアを１つの光ファイバ２０２に多重化し、光ファイバ２０２での波長分割多重化（ＷＤＭ）キャリアを形成する。共用ラムダソース１０８は光パワースプリッタ１１２も含み、光パワースプリッタはＷＤＭキャリアを複数のＷＤＭキャリアに分割し、その各々はＯＬＴにルーティングされる。図２に示される例では光パワースプリッタ１１２がＷＤＭキャリアをＮ個のＯＬＴにルーティングする。しかしながら本発明はＯＬＴのいくつにでもルーティングすることを想定している。選択的に、光増幅器２０４は、より大きなＷＤＭキャリア振幅が特定の用途に必要とされる場合に、複数のＷＤＭキャリアを増幅するために使用される。光増幅器２０４は一般的にはパワースプリッタで被った損失を補償するために使用される。更に複数のＯＬＴにＷＤＭキャリアを用意するために共用ソース１０８が異なる物理筐体内で使用されるならば、好ましくは共用ソース１０８はワーキング及びプロテクト光ＷＤＭキャリアを切り替えるプロテクションスイッチを含む。共用ソース１０８及びＯＬＴが同じロケーションにある場合でさえもプロテクションを要することが当てはまることに留意すべきである。一般に、共用ラムダソース１０８は1525〜1565nmの範囲内の波長を有する光キャリアを用意する。しかしながらこれは単なる一例に過ぎない。本発明は如何なる範囲の波長の動作をも想定している。
【００４２】
図３には本発明が使用されてもよいPONシステム例３００が示されている。この例では1以上のOLT１０２は光分散ネットワーク（ODN）１０４を通じてPONの光ネットワークユニット（ONU）１０６の部分に伝送されるデータとのインターフェースを用意する。OLT１０２は、イーサーネット（登録商標）のような電気ネットワーク、ソネットのような光ネットワークとの相互接続部を用意し、共用ラムダソースから複数の光キャリアを受信する。PONの受動素子は、ODN１０４内に設けられ、シングルモード光ファイバケーブルや、スプリッタ／カプラ、コネクタ、マルチプレクサ及び結合素子のような受動光素子を含んでもよい。図１ａに示される例ではOND１０４は複数のカスケード接続されたラムダマルチプレクサ及び多数の光ファイバを含む。
【００４３】
PONのONU１０６部分は１以上のONUを含み、それらは顧客のデータ、顧客の映像及び顧客の電話網とPONとの間のインターフェースを与える。ONUの主要な機能は、トラフィックを光フォーマットで受信し、それをエンドユーザの望むフォーマットの電気信号に変換すること及びエンドユーザからの電気信号としてトラフィックを受信し、それを光信号及びフォーマットに変換することである。一般に、エンドユーザのフォーマットはイーサーネット（登録商標）、IPマルチキャスト、POTS、T1等のような電気フォーマットであるが、エンドユーザのフォーマットはファイバによるイーサーネット（登録商標）のような光フォーマットでもよい。
【００４４】
上述したように、OLTで実行される変調は本発明の様々な実施例で異なる。一実施例ではOLTで変調される光信号はONUに伝送され、ONUでは変調信号が再変調され、OLTに返送される。この例のこの動作は  「変調−再変調」と呼ばれてもよい。変調−再変調の例は図４に示される。この例では下り信号（ダウンストリーム信号）はデータを運ぶためにOLT内で変調され、ONUに送信される。ONUでは、その信号により運ばれたデータが復元され、下り信号はデータを運ぶために再変調され、OLTに送信される上り信号を形成する。OLTでは上り信号によって伝送されたデータが復元される。
【００４５】
図４に示される例では、“０１”のラインコード４０２を用いてデータビット“０”が下り信号上で変調され、“１０”のラインコード４０４を用いてデータビット“１”が下り信号上で変調される。下り信号がONUで受信されると、ONUは上り信号を伝送するためにその信号を再変調する。この例では、“００”のラインコード４０６を用いてデータビット“０”が上り信号で再変調され、“０１”の又は“１０”のラインコード４０８，４１０を用いてデータビット“１”が上り信号で再変調される。上りラインコードは、ダウンストリームラインコードに全ビット期間“０”を乗算する（モジュレータスイッチオフ）又は全ビット期間“１”を乗算する（モジュレータスイッチオンする）ことで得られる。“０１”４０８又は“１０”４１０はONUから“１”としてOLTにより読み取られる。
【００４６】
この例では、下りラインコードは２倍の情報ビットレート周波数であることが理解される。この例では１５５Mbsのデータレートを与える３１０MHｚラインコードが示されている。これらのレート及びラインコードは単なる例示に過ぎず、本発明はこれらのレート及びラインコードに限定されないことに留意すべきである。むしろ本発明はデータ伝送用のレート及びラインコード全てのどれでも想定している。
【００４７】
変調−再変調技法は図１ｂに示される本発明の実施例で実現されてもよい。同様に変調−再変調技法は図５に示される本発明の実施例で実現されてもよく、図５はOLT５００内の電気的及び光学的な素子のブロック図を例示する。
【００４８】
OLT５００は光パワースプリッタ５０２、ラムダデマルチプレクサ５０４、複数の光変調器５０６−１〜５０６−Ｋ、ラムダマルチプレクサ５０８、光増幅器５１０、光カプラ５１２、ラムダデマルチプレクサ５１４及び複数の光復調器／ＣＤＲ５１６−１〜５１６−Ｋを含む。非変調ＷＤＭキャリア（複数の光キャリアを含む）は光パワースプリッタ５０２に入力され、そのスプリッタはＷＤＭキャリアを複数のＷＤＭキャリアに分割し、その各々は特定のＰＯＮで使用されてもよい。１以上の光増幅器は、より大きなＷＤＭキャリア振幅が特定の用途で必要とされる場合にＷＤＭキャリアを増幅するために使用されてもよい。更に、ＷＤＭキャリアが複数のＰＯＮに用意されるので、ワーキング及びプロテクト光ＷＤＭキャリアを切り替えるプロテクションスイッチが含まれる。
【００４９】
非変調ＷＤＭキャリアはラムダデマルチプレクサ５０４に入力され、ラムダデマルチプレクサはその信号を複数の狭帯域波長キャリアに分ける。各狭帯域波長信号は光変調器５０６−１〜５０６−Ｋに入力され、ＰＯＮで伝送される信号によって変調される。変調された狭帯域波長信号は、光変調器５０６−１〜５０６−Ｋ各々から出力され、ラムダマルチプレクサ５０８に入力される。これらはＯＬＴ変調信号と呼ばれてもよい。入力されたＯＬＴ変調信号は変調されたＷＤＭ信号を形成するためにラムダマルチプレクサ５０８で多重化される。これはOLT  WDM信号と呼ばれてもよい。OLT  WDM信号はラムダマルチプレクサ５０８から出力され、光増幅器５１０に入力され、その信号は光ファイバで伝送するために増幅される。増幅された信号は光カプラ５１２に入力され、ONUに伝送するために光ファイバに結合される。
【００５０】
図６ａを参照するに、変調−再変調技法が実現されてもよいONU６００内の光学的及び電気的な素子の例が示されている。図６ａに示されるＯＮＵは図５に示されるＯＬＴの実施例と共に動作する。ONU６００は光カプラ６０２、光パワースプリッタ６０４、ラインコード復調器６０６、ラインコード変調器６０８及び光増幅器６１０を含む。OLTからの信号は光ファイバを介して受信され、光カプラ６０２に入力される。信号は光パワースプリッタ６０４に入力され、光パワースプリッタはラインコード復調器６０６及びラインコード変調器６０８にその信号を送信する。ラインコード復調器６０６は光信号を復調し、ダウンストリームデータ及びクロック信号を光信号から抽出する。ダウンストリームデータ及びクロック信号はラインコード復調器６０６から電気信号として出力される。
【００５１】
ラインコード変調器６０８は図４に示されるラインコード変調法又は別の同等な方法に従ってアップストリーム信号で光信号を再変調する。アップストリームデータはラインコード変調器６０８に電気信号として入力される。ラインコード変調器６０８はダウンストリーム光ラインコードに同期し、信号にアップストリーム電気ビット（１又は０）を乗算する。このように２つの“０”の期間（００）をダウンストリームラインコード（０１又は１０）に乗算することは、“００”のアップストリーム変調をもたらす。同様に、２つの“１”の期間（１１）をダウンストリームラインコード（０１又は１０）に乗算することは、“０１”又は“１０”のアップストリーム変調をもたらす。アップストリーム変調には正確な位相調整が必要とされる。
【００５２】
再変調された光信号は光増幅器６１０に入力され、光増幅器は光信号を増幅し、その信号をカプラ６０２に出力する。カプラ６０２は増幅され再変調された信号を、OLTに送信するために光ファイバに結合する。
【００５３】
図５を参照するに、アップストリームの、再変調された信号はカプラ５１２で受信され、カプラはアップストリーム信号をラムダデマルチプレクサ５１に出力する。ラムダデマルチプレクサ５１４はその信号を複数の狭帯域波長の再変調済み信号に分ける。再変調された狭帯域波長信号の各々は光復調器／ＣＤＲ５１６−１〜５１６−Ｋに入力され、その信号に変調されたデータが検出される。フォトディテクタの各々は電気信号を出力し、その電気信号は入力の変調済み狭帯域波長信号から抽出されたデータストリームを搬送する。
【００５４】
上記の変調−再変調に関して更なる検討事項がある。受信フレームの終わりに、固定されたダウンストリーム１，０，１，０，．．．のパターンであるトレーニングインターバルが用意されている。トレーニングインターバルはフレームペイロード帯域中の僅かな部分である。通常のペイロードと同様に、“０”の各々はラインレートの２倍の（０，１）であり、“１”の各々はラインレートの２倍の（１，０）である。トレーニングインターバルの間に、ONUは１，０，１，０，．．．のパターンのアップストリームを送信する。通常のペイロードと同様に１の各々は全期間１であり、０の各々は全期間０である。受信フレーム処理部（framer）はトレーニングインターバル専用の時間部分を見分ける。
【００５５】
図６ｂにはアップストリーム変調に必要な正確な位相調整機能を用意することができるONU回路６５０例が示されている。ONU回路６５０は、光カプラ６５２、光パワースプリッタ６５４、フォトディテクタ６５６、ラインコードデコーダ及びフレーマ６５８、ONU送信電気回路６６０、ラインコード変調器及び光増幅器６６２、光パワースプリッタ６６４、フォトディテクタ及び増幅器６６６、電界効果トランジスタ６６８、ローパスフィルタ６７０、ＤＣ増幅器６７２、及び電圧制御水晶発振器(VCXO)６７４を含む。追加的な機能を有するONU６５０の動作は図６ａに示されるＯＮＵ回路６００のものと同様である。図６ｂに示されるように、トレーニングインターバルの間に、サンプリングＦＥＴ６６８がターンオンされ、（フォトディテクタ６６６を通じて）ラインコード変調器６６２から復元された電気信号を通すようにする。サンプルされた信号は、フィルタのＤＣ出力が光パルスのデューティサイクルの測定値になるように、ローパスフィルタ６７０により選別される。以後フィルタの電気出力は増幅され、位相ロックループを形成するようにVCXO６７４に与えられる。
【００５６】
図６ｃを参照するに、ダウンストリームトレーニング信号６８０の例が示されている。この例ではダウンストリームトレーニング信号６８０は連続する１と０を含み、５０％デューティサイクルの矩形波である。この例ではダウンストリームトレーニング信号６８０に正確に位相が整合しているアップストリーム変調信号６８１が示されている。ダウンストリームトレーニング信号６８０はアップストリーム変調信号６８２を形成するようにアップストリーム変調信号６８１で変調される（ＡＮＤ演算される）。ダウンストリームトレーニング信号６８０と正確に位相の整合したアップストリーム変調信号６８１により、アップストリーム変調信号６８２は２５％のデューティサイクルを有する。
【００５７】
ローパスフィルタ６７０のＤＣ出力は、アップストリーム変調信号６８２の光パルスのデューティサイクルの度合を示す。例えば、図６ｄを参照するに、アップストリーム変調信号６８３はダウンストリームトレーニング信号６８０に対して進んでいる。ダウンストリームトレーニング信号６８０がアップストリーム変調信号６８３で変調される場合に、結果のアップストリーム変調信号は２５％より大きなデューティサイクルを有する。或いは、図６ｅを参照するに、アップストリーム６８５はダウンストリーム６８０に対して遅れている。ダウンストリームトレーニング信号６８０がアップストリーム変調信号６８５で変調される場合に、結果のアップストリーム変調信号は２５％より小さなデューティサイクルを有する。いずれの場合でも、トレーニング期間中にデューティサイクルを１／４にさせるフィードバックループが設計され、これにより再変調の位相調整を補償する。
【００５８】
トレーニングインターバルの間にFET６６８はターンオフされ、フレームの残りの間、フィルタがＤＣ値を維持するようにする。全体的な位相制御は、アナログディジタル変換器、ディジタルプロセッサ及びディジタルアナログ変換器を選択的に使用することができる。これはフィルタ６７０の出力及びVCXO６７４の間で、又はDC  AMP６７２及びVCXO６７４の間で使用可能である。
【００５９】
上述したように、OLTで行われる変調は本発明の様々な実施例で異なる。一実施例では狭帯域波長信号は１００％の時間変調されず、狭帯域波長信号の非変調の又は連続波（CW）の部分がOLTから出力されてもよい。狭帯域波長信号の非変調部分はONUにより変調され、OLTに送信される。この例の動作は「ピンポン(ping-pong)」と呼ばれてもよい。図７にピンポン技法の動作例が示されている。この例ではOLTは変調された光信号バーストの送信の後に非変調光信号の期間が続く。光信号はONUで受信され、ONUは光信号の変調された部分を復調し、ダウンストリームデータを抽出し、光信号の非変調部分をアップストリームデータで変調し、アップストリームの変調された光信号をOLTに送信する。
【００６０】
図７に示される例では、６２２Mbsの送信バーストを半分の時間を使用することで、アップストリーム及びダウンストリームの各方向で３１０Mbsの実効データレートが達成される。これらのレート及びタイミングは単なる例に過ぎず、本発明はこれらのレート及びタイミングに限定されないことに留意すべきである。むしろ本発明はデータ伝送のレート及びタイミング全てのどれでも想定している。例えば他の送信デューティサイクルが可能であり、それはシステムパフォーマンスのリフレクションの影響を減らすような様々な理由から有利である。
【００６１】
図７に示されるように、OLTは変調された光信号７０２のバーストを送信する。この例ではバーストは６２２Mbsのレートで送信されたデータの８つのSTS３フレームを含む。このバーストは２５０μｓ続く。OLTは２５０μｓ続く非変調光信号の期間７０４を送信する。非変調光信号７０４Ａはある時点でＯＮＵで受信され、その時点はOLT及びONUを接続する光ファイバの長さに及び（ラムダマルチプレクサ及びデマルチプレクサ、光パワースプリッタ、カプラ、サーキュレータ等）のような経路中の他の光素子の時間遅延に依存する。ONUは非変調光信号７０４Ａを変調し、変調されたアップストリーム信号７０４ＢをOLTに送信する。ONUでの光経路の時間遅延や、OLTに戻る経路での時間遅延等がある。この経路遅延全体の後に、ONUバースト７０６がOLTで受信される。
【００６２】
この例では、OLTで観測されるような光リターンロスは所望のONUアップストリーム光信号の信頼性高い検出を妨げるほど深刻ではなく、同様にONUで観測される反射はOLTダウンストリーム信号の信頼性高い検出を妨げるほど深刻ではない。
【００６３】
ピンポン技法は図１ｂに示される本発明の実施例で実現されてもよい。同様にピンポン技法は図８に示される本発明の実施例で実現されてもよく、図８はONU８００内の光学的及び電気的な素子のブロック図例を示す。
【００６４】
ONU８００はカプラ８０２、光パワースプリッタ８０４、光電受信器８０６、ダウンストリームフレーマ８０８、アップストリームフレーマ８１０、電気送信器８１２、光変調器８１４及び光増幅器８１６を含む。OLTからの光信号はカプラ８０２に入力され、そこから光パワースプリッタ８０４に入力され、光パワースプリッタはその信号を電光受信器８０６及び光変調器８１４に送信する。光電受信器８０６は光信号を復調し、その光信号からダウンストリームデータ及びクロック信号を抽出する。ダウンストリームデータ及びクロック信号は光電受信器８０６から電気信号として出力される。これらの電気信号はダウンストリームフレーマ８０８に入力され、ダウンストリームフレーマはダウンストリームフレームの開始及び／又は終了を検出し、アップストリームフレーマ８１０がアップストリームフレームの開始を設定するために使用されるタイミング信号８１８を出力する。アップストリームデータはアップストリームフレーマ８１０に入力され、信号８１８により示されるタイミングに従うフレームに組み立てられる。適切な時点でアップストリームフレームは電気送信器に入力され、そのフレームは光変調器８１４の電気入力を駆動する。
【００６５】
光変調器８１４は、アップストリームフレーマ８１０で制御される時間で、光パワースプリッタ８０４からの非変調光信号をアップストリームフレーマ８１０で処理されたフレームのようなアップストリームデータで変調する。アップストリームデータは電気信号として光変調器８１４に入力される。変調された光信号は光増幅器８１６に入力され、光増幅器は光信号を増幅し、その信号をカプラ８０２に出力する。カプラ８０２は増幅され再変調された信号をOLTへ送信するために光ファイバに結合する。
【００６６】
図９にはOLT９００の光学的及び電気的な素子が示され、そこではピンポン技法が行われてもよい。OLT９００は光パワースプリッタ９０２、ラムダデマルチプレクサ９０４、複数の光変調器９０６−１〜９０６−Ｋ、ラムダマルチプレクサ９０８、光増幅器９１０、光カプラ９１２、ラムダデマルチプレクサ９１４、複数の光受信器９１６−１〜９１６−Ｋ及び複数のアップストリームフレーマを含む。非変調ＷＤＭ信号（複数の光キャリアを含む）は光パワースプリッタ９０２に入力され、光パワースプリッタはＷＤＭ信号を複数のＷＤＭ信号に分割し、その各々は特定のＰＯＮで使用されてもよい。１以上の光増幅器は、より大きなＷＤＭ信号振幅が特定の用途で必要とされる場合に、ＷＤＭ信号を増幅するために使用される。更に、ＷＤＭ信号は複数のＰＯＮに用意されるので、ワーキング及びプロテクト光ＷＤＭキャリアを切り替えるようにプロテクションスイッチが含まれる。
【００６７】
非変調ＷＤＭ信号はラムダデマルチプレクサ９０４に入力され、ラムダデマルチプレクサはその信号を複数の狭帯域波長信号に分ける。狭帯域波長信号の各々は光変調器９０６−１〜９０６−Ｋに入力され、ＰＯＮで伝送されるデータで変調される。変調された狭帯域波長信号は、光変調器９０６−１〜９０６−Ｋ各々から出力され、ラムダマルチプレクサ９０８に入力される。これらはOLT変調信号と呼ばれてもよい。入力OLT変調信号は変調されたWDM信号を形成するためにラムダマルチプレクサ９０８で多重化される。これはOLT  WDM信号と呼ばれてもよい。OLT  WDM信号はラムダマルチプレクサ９０８から出力され、光増幅器９１０に入力され、その信号は光ファイバでの伝送用に増幅される。増幅された信号は光カプラ９１２に入力され、ONUへの伝送用に光ファイバに結合される。
【００６８】
アップストリーム変調信号はカプラ９１２で受信され、カプラはアップストリーム信号をラムダデマルチプレクサ９１４に出力する。ラムダデマルチプレクサ９１４は信号を複数の狭帯域波長の再変調された信号に分離する。変調された狭帯域波長信号の各々は光受信器９１６−１〜９１６−Ｋに入力され、その信号に変調されたデータが検出される。フォトディテクタの各々は電気信号を出力し、電気信号は入力の変調された狭帯域波長信号から抽出されたデータストリームを伝送する。
【００６９】
入力の変調された狭帯域波長信号から抽出されたデータストリームを伝送する電気信号の各々はアップストリームフレーマに入力され、アップストリームフレーマはアップストリームフレームの開始及び／又は終了を検出し、これらのフレーム中のデータを電気信号として出力する。ピンポン技法ではOLT及びONUバーストはクロックの復元及びバースト検出開始のためのプリアンブルを要する。OLTがバーストスタートを取得すると、予想されるバースト開始前の数マイクロ秒で次フレームのバーストスタートの探索を開始する。これは誤った同期検出のおそれを減らす。
【００７０】
上記のピンポン法の例に関する更なる検討事項がある。特に、ダウンストリームデータのデータクロックがONUで復元され、アップストリームデータのデータクロックとしても使用されることが好ましい。これを達成するため、図１０に示されるような回路が使用されてもよい。図１０にはONUクロック復元及びホールドオーバ回路１０００が例示されている。図１０に示される回路は、図１ｂに示されるONU回路と共に使用されてもよいし、或いは若干の些細な修正と共に、図９に示されるONU回路と共に使用されてもよい。
【００７１】
クロック復元及びホールドオーバ回路１０００を含むONUブロック図は、SOARデバイス１００２、送信電子回路１００４、先入れ先出し（FIFO）バッファ１００６、フォトディテクタ、増幅器、回線クロック復元回路１００８、ビームスプリッタ１０１０、移動検出器１０１２、FET１０１４、ローパスフィルタ１０１６、増幅器１０１８及びVCXO１０２０を含む。
【００７２】
ダウンストリームデータは、ビームスプリッタ１０１０を通じて、フォトディテクタ、増幅器及び回線クロック復元回路１００８に伝搬する。回線クロック復元機能は例えばワイドバンド位相ロックループ（PLL）によって実行されてもよい。フォトディテクタ、増幅器及び回線クロック復元回路１００８は、回線データ出力及び回線クロック出力を含む電気出力を有する。回線データ出力及び回線クロック出力は双方ともFIFO１００６及びフレーマ１０１４に入力され、回線クロック出力の方だけが位相検出器１０１２に入力される。位相検出器１０１２の出力はFET１０１３を通じてローパスフィルタ１０１６に与えられる。FET１０１３は、ダウンストリームバーストが受信されている間にONUクロック生成ループのみが機能するようにフレーマ１０１４によって制御される。ダウンストリームバーストの間に、FET１０１３は開放され、ONUクロックループの状態が維持される。VCXO１０２０出力は、連続的なONUクロックであり、ダウンストリームバーストのクロックレートに対するリファレンスをたどるものである。このクロックはFIFO１００６からダウンストリームデータを読み出すのに使用される。このクロックは送信電子回路１００４のクロックでもある。アナログディジタル変換器、ディジタルプロセッサ及びディジタルアナログ変換器を選択的に使用することも可能である。これは、ローパスフィルタ１０１６の出力及びVCXO１０２０の間で、又は以後の増幅器１０１８及びVCXO１０２０の間で使用可能である。ONUクロックを利用することで、送信電子回路１００４は変調する電子データをSOARデバイス１００２に出力し、SOARデバイスは変調された光アップストリームをビームスプリッタ１０１０を通じて送信する。
【００７３】
以上本発明の特定の実施例が説明されてきたが、説明された実施例に等価な他の実施例も存在することが当業者に理解されるであろう。従って本発明は説明された具体的な実施例に限定されず、特許請求の範囲によってのみ限定されることが意図される。
【００７４】
以下、本発明により教示される手段が例示的に列挙される。
【００７５】
（付記１）
パッシブ光ネットワークで通信する方法であって、
第１データ信号で変調された第１部分と変調されていない第２部分とを有する光信号を第１ネットワーク要素で生成し、
前記光信号を前記パッシブ光ネットワークで前記第１ネットワーク要素から第２ネットワーク要素へ伝送し、
受信した光信号の第２部分を前記第２ネットワーク要素で第２データ信号で変調し、
受信した変調済み光信号の変調された第２部分を前記第２ネットワーク要素から前記第１ネットワーク要素へ伝送する
ことを特徴とする方法。
【００７６】
（付記２）
パッシブ光ネットワークで通信する装置であって、
第１データ信号で変調された第１部分と変調されていない第２部分とを有する光信号を生成し且つ該光信号を前記パッシブ光ネットワークで送信する送信部と、
第２データ信号で変調された、送信された光信号の第２部分を有する光信号を受信する受信部と、
を有することを特徴とする装置。
【００７７】
（付記３）
前記送信部が、非変調光信号の第１部分を前記第１データ信号で変調し、前記非変調光信号の第２部分を変調しない光変調器を有する
ことを特徴とする付記２記載の装置。
【００７８】
（付記４）
前記受信部が、受信した光信号を復調し、前記第２データ信号を復元する光復調器を有する
ことを特徴とする付記３記載の装置。
【００７９】
（付記５）
パッシブ光ネットワークで通信する装置であって、
第１データ信号で変調された第１部分と変調されていない第２部分とを有する光信号を前記パッシブ光ネットワークから受信する受信部と、
受信した光信号の前記第２部分を第２データ信号で変調し、第２光信号を形成する変調部と、
前記第２光信号を前記パッシブ光ネットワークで送信する送信部と、
を有することを特徴とする装置。
【００８０】
（付記６）
前記受信部が、
受信した光信号を受信部及び再変調部の間で分けるパワースプリッタと、
受信した光信号から前記第１データ信号を検出する復調器と、
を有することを特徴とする付記５記載の装置。
【００８１】
（付記７）
前記復調器が、受信した光信号の前記第２部分を見分けるフレーム処理装置を更に有する
ことを特徴とする付記６記載の装置。
【００８２】
（付記８）
前記変調部が、受信した光信号の第２部分の前記フレーム処理装置による確認に基づいて、受信した光信号の第２部分を第２データ信号で変調する変調器を有する
ことを特徴とする付記７記載の装置。
【００８３】
（付記９）
前記送信部が、前記第２光信号を増幅する光増幅器を有する
ことを特徴とする付記８記載の装置。
【００８４】
（付記１０）
パッシブ光ネットワークで通信する装置であって、
第１データ信号で変調された第１部分と変調されていない第２部分とを有する受信した光信号を、受信部及び変調部の間で分けるビームスプリッタと、
受信した光信号の前記第２部分を第２データ信号で変調し、第２光信号を形成する変調部と、
受信した光信号から前記第１データ信号を検出するフォトディテクタと、
を有することを特徴とする装置。
【００８５】
（付記１１）
前記復調部が、前記光信号の前記第２部分を前記ビームスプリッタから受信し、前記光信号の前記第２部分を前記第２データ信号で変調して前記第２光信号を形成し、前記第２光信号を前記ビームスプリッタに返すシリコン光増幅反射機能を有する
ことを特徴とする付記１０記載の装置。
【図面の簡単な説明】
【００８６】
【図１ａ】本発明が使用されてもよいWDM  PONシステム例のブロック図である。
【図１ｂ】本発明が使用されてもよいWDM  PONシステム例のブロック図である。
【図２】図１ｂに示される共用ラムダソース例のブロック図を示す。
【図３】本発明が使用されてもよいPONシステム例のブロック図である。
【図４】本発明の一実施例で使用されてもよいラインコードのフォーマット例を示す図である。
【図５】本発明を実現するのに使用されてもよいＯＬＴにおける光学的及び電気的素子の一例を示すブロック図である。
【図６ａ】本発明を実現するのに使用されてもよいＯＮＵにおける光学的及び電気的素子の一例を示すブロック図である。
【図６ｂ】本発明を実現するのに使用されてもよいＯＮＵにおける光学的及び電気的素子の一例を示すブロック図である。
【図６ｃ】位相ロックに使用される本発明の一実施例におけるダウンストリームトレーニング信号を例示する図である。
【図６ｄ】位相ロックに使用される本発明の一実施例におけるダウンストリームトレーニング信号を例示する図である。
【図６ｅ】位相ロックに使用される本発明の一実施例におけるダウンストリームトレーニング信号を例示する図である。
【図７】本発明の一実施例で使用されてもよい信号のフォーマット例を示す図である。
【図８】本発明を実現するのに使用されてもよいＯＮＵにおける光学的及び電気的素子の一例を示すブロック図である。
【図９】本発明を実現するのに使用されてもよいＯＬＴにおける光学的及び電気的素子の一例を示すブロック図である。
【図１０】本発明を実現するのに使用されてもよいＯＬＴにおける光学的及び電気的素子の一例を示すブロック図である。
【符号の説明】
【００８７】
１０２  光回線終端装置
１０４  光分配ネットワーク
１０５  マルチプレクサ
１０６  光ネットワークユニット
１０８  ラムダソース
１１０  ラムダマルチプレクサ
１１２  光パワースプリッタ
１１４  半導体光増幅反射部
１１６  フォトディテクタ
１１８，１２０  ラムダマルチプレクサ／デマルチプレクサ
１２２，１２４  光サーキュレータ
１２８  光ファイバ
１３０  ONU
１３２  ビームスプリッタ
１３４  SOARデバイス
１３６  フォトディテクタ
２０２  光ファイバ
２０４  光増幅器
４０２，４０４，４０６，４０８，４１０  ラインコード
５０２  光パワースプリッタ
５０４  ラムダデマルチプレクサ
５０６  複数の光変調器
５０８  ラムダマルチプレクサ
５１０  光増幅器
５１２  光カプラ
５１４  ラムダデマルチプレクサ
５１６  複数の光復調器／ＣＤＲ
６００  光ネットワークユニット
６０２  光カプラ
６０４  光パワースプリッタ
６０６  ラインコード復調器
６０８  ラインコード変調器
６１０  光増幅器
６５０  ONU回路
６５２  光カプラ
６５４  光パワースプリッタ
６５６  フォトディテクタ
６５８  ラインコードデコーダ及びフレーマ
６６０  ONU送信電気回路
６６２  ラインコード変調器及び光増幅器
６６４  光パワースプリッタ
６６６  フォトディテクタ及び増幅器
６６８  電界効果トランジスタ
６７０  ローパスフィルタ
６７２  ＤＣ増幅器
６７４  電圧制御水晶発振器
６８０  ダウンストリームトレーニング信号
６８１  アップストリーム変調する信号
６８２  アップストリーム変調された信号
８００  光ネットワークユニット
８０２  カプラ
８０４  光パワースプリッタ
８０６  光電受信器
８０８  ダウンストリームフレーマ
８１０  アップストリームフレーマ
８１２  電気送信器
８１４  光変調器
８１６  光増幅器
９００  非解回線終端器
９０２  光パワースプリッタ
９０４  ラムダデマルチプレクサ
９０６  光変調器
９０８  ラムダマルチプレクサ
９１０  光増幅器
９１２  光カプラ
９１４  ラムダデマルチプレクサ
９１６  光受信器
１０００  クロック復元及びホールドオーバ回路
１００２  SOARデバイス
１００４  送信電子回路
１００６  先入れ先出し（FIFO）バッファ
１００８  フォトディテクタ、増幅器及び回線クロック復元回路
１０１０  ビームスプリッタ
１０１２  移動検出器
１０１４  FET
１０１６  ローパスフィルタ
１０１８  増幅器
１０２０  VCXO
【図１ａ】
2006191605.tif 000003
【図１ｂ】
2006191605.tif 000004
【図２】
2006191605.tif 000005
【図３】
2006191605.tif 000006
【図４】
2006191605.tif 000007
【図５】
2006191605.tif 000008
【図６ａ】
2006191605.tif 000009
【図６ｂ】
2006191605.tif 000010
【図６ｃ】
2006191605.tif 000011
【図６ｄ】
2006191605.tif 000012
【図６ｅ】
2006191605.tif 000013
【図７】
2006191605.tif 000014
【図８】
2006191605.tif 000015
【図９】
2006191605.tif 000016
【図１０】
2006191605.tif 000017